(57)【要約】【課題】切刃部材の押下操作をより安定させた蓋付カップ容器を提供すること。【解決手段】開放端がシール部材１２によって封止されたカップ本体２と、シール部材１２を破断する切刃部材２４が設けられ、カップ本体２に被着される蓋体３と、を備え、切刃部材２４が、前後方向で互いに間隔をあけて配設され、頂壁部２１に第１ヒンジ部３１、３２を介して連結された一対の連結部３３、３４と、連結部３３、３４の上端部に第２ヒンジ部３５、３６を介して連結され、上端部同士を連結する架橋部３７と、連結部３３に突設された刃部３８と、を有し、架橋部３７を押し下げると、連結部３３、３４が、頂壁部２１に対して起立する起立状態から頂壁部２１に対して前方に倒れ込む傾倒状態まで、第１ヒンジ部３１、３２回りで回動し、刃部３８が、シール部材１２を破断する。【選択図】図１
2014046936.tif 000002
【特許請求の範囲】
【請求項１】
開放端がシール部材によって封止されたカップ本体と、
前記シール部材を破断する切刃部材が設けられ、前記カップ本体に被着される蓋体と、を備える蓋付カップ容器であって、
前記切刃部材が、
前記蓋体の頂壁部の沿面方向のうち一方向で互いに間隔をあけて配設され、前記頂壁部に第１ヒンジ部を介して連結された一対の連結部と、
前記連結部のうち前記第１ヒンジ部側とは反対側の先端部に第２ヒンジ部を介して連結され、前記先端部同士を連結する架橋部と、
前記架橋部と前記連結部とのうちのいずれか一方に突設された刃部と、を有し、
前記架橋部を押し下げると、前記連結部が、前記頂壁部に対して起立する起立状態から前記頂壁部に対して前記一方向に倒れ込む傾倒状態まで、前記第１ヒンジ部回りで回動し、前記刃部が、前記シール部材を破断することを特徴とする蓋付カップ容器。
【請求項２】
前記刃部が、前記起立状態において前記一方向に沿う前記切刃部材の外側に向けて突出することを特徴とする請求項１に記載の蓋付カップ容器。
【請求項３】
前記刃部が、平面視で前記一方向に沿う前記切刃部材の内側に向けて開口するＵ字状をなし、かつその開口端が前記架橋部と前記連結部とのうちのいずれか一方に接続されていることを特徴とする請求項２に記載の蓋付カップ容器。
【請求項４】
前記切刃部材が、前記架橋部と前記連結部とのうちのいずれか一方に突設され、前記刃部と共に前記シール部材を破断する副刃部を有することを特徴とする請求項１から３のいずれか１項に記載の蓋付カップ容器。
【発明の詳細な説明】
【技術分野】
【０００１】
本発明は、蓋付カップ容器に関する。
【背景技術】
【０００２】
この種の蓋付カップ容器としては、例えば下記特許文献１に示すように、開放端がシール部材によって封止されたカップ本体と、シール部材を破断して開封する切刃部材が設けられ、カップ本体に被着される蓋体と、を備えるものが提案されている。この蓋付カップ容器では、切刃部材がヒンジ部を介して蓋体の天面部に回動可能に連結されており、切刃部材を押下することによってシール部材を破断している。
【先行技術文献】
【特許文献】
【０００３】
【特許文献１】特開２００９−１７９３８３号公報
【発明の概要】
【発明が解決しようとする課題】
【０００４】
しかしながら、上記従来の蓋付カップ容器では、切刃部材を押し下げるときの姿勢を安定させることに対して改善の余地があった。
【０００５】
本発明は、前述の課題に鑑みてなされたもので、切刃部材の押下操作をより安定させた蓋付カップ容器を提供することを目的とする。
【課題を解決するための手段】
【０００６】
本発明は、上記のような課題を解決するために以下のような手段を採用した。すなわち、本発明の蓋付カップ容器は、開放端がシール部材によって封止されたカップ本体と、前記シール部材を破断する切刃部材が設けられ、前記カップ本体に被着される蓋体と、を備える蓋付カップ容器であって、前記切刃部材が、前記蓋体の頂壁部の沿面方向のうち一方向で互いに間隔をあけて配設され、前記頂壁部に第１ヒンジ部を介して連結された一対の連結部と、前記連結部のうち前記第１ヒンジ部側とは反対側の先端部に第２ヒンジ部を介して連結され、前記先端部同士を連結する架橋部と、前記架橋部と前記連結部とのうちのいずれか一方に突設された刃部と、を有し、前記架橋部を押し下げると、前記連結部が、前記頂壁部に対して起立する起立状態から前記頂壁部に対して前記一方向に倒れ込む傾倒状態まで、前記第１ヒンジ部回りで回動し、前記刃部が、前記シール部材を破断することを特徴とする。
【０００７】
この発明では、架橋部を押下すると、一対の連結部が共に第１ヒンジ部回りに上記一方向に向けて起立状態から傾倒状態まで回動するので、例えば第１ヒンジ部または第２ヒンジ部回りに捩れなどを発生させずに、切刃部材全体を上記一方向に移動させながら刃部をシール部材に向けて移動させることができる。すなわち、架橋部が上記一方向に間隔をあけて配設された一対の連結部それぞれの先端部同士を連結しているので、架橋部を押し下げたときに一対の連結部が天壁部に向けて倒れ込む方向が上記一方向に規制される。そのため、連結部の回動動作が安定する。そして、連結部が起立状態から傾倒状態へと移行すると、刃部は、シール部材を破断する。したがって、切刃部材の押下操作がより安定する。
【０００８】
また、本発明の蓋付カップ容器では、前記刃部が、前記起立状態において前記一方向に沿う前記切刃部材の外側に向けて突出してもよい。
この発明では、刃部が上記一方向に沿って切刃部材の外側に向けて突出しているので、シール部材のうち刃部によって開口される部分をシール部材の外周側に偏らせやすくなり、この開口を通して取り出されるカップ本体内の内容物が、シール部材上を伝う距離を短く抑えることができる。これにより、例えば、刃部によってシール部材に形成される開口とユーザ（消費者）の口との間の距離が短くなる。したがって、カップ本体内の内容物を容易に取り出すことができる。
【０００９】
また、本発明の蓋付カップ容器では、前記刃部が、平面視で前記一方向に沿う前記切刃部材の内側に向けて開口するＵ字状をなし、かつその開口端が前記架橋部と前記連結部とのうちのいずれか一方に接続されてもよい。
この発明では、刃部が平面視でＵ字状をなしているので、刃部がシール部材を破断したときに内容物が刃部の開口部分を通って取り出される。したがって、カップ本体内の内容物をより容易に取り出すことができる。
【００１０】
また、本発明の蓋付カップ容器では、前記切刃部材が、前記架橋部または前記連結部に突設され、前記刃部と共に前記シール部材を破断する副刃部を有してもよい。
この発明では、シール部材に複数の開口が形成され、刃部によってシール部材に形成された開口を通して内容物を取り出すと共に、副刃部によってシール部材に形成された他の開口を通してカップ本体内に空気を流通させることができるので、カップ本体内の内容物をよりスムーズに取り出せる。
【発明の効果】
【００１１】
この発明にかかる蓋付カップ容器によれば、架橋部を押下したときに、一対の連結部それぞれが第１ヒンジ部回りに上記一方向に向けて回動するので、切刃部材全体を上記一方向に移動させながら刃部をシール部材に向けて移動させることができ、切刃部材の押下操作がより安定する。
【図面の簡単な説明】
【００１２】
【図１】本発明の一実施形態における蓋付カップ容器を示す部分破断斜視図である。
【図２】図１の蓋付カップ容器の使用方法を示す部分破断斜視図である。
【発明を実施するための形態】
【００１３】
以下、本発明における蓋付カップ容器の一実施形態を、図面に基づいて説明する。なお、以下の説明に用いる各図面では、各部材を認識可能な大きさとするために縮尺を適宜変更している。
【００１４】
本実施形態における蓋付カップ容器１は、図１に示すように、例えば飲料などが充填された状態で流通し、ユーザ（消費者）が購入して当該カップ容器から直接飲料などを飲むことができるものである。
蓋付カップ容器１は、有底円筒状のカップ本体２と、カップ本体２に被着される有頂円筒状の蓋体３と、蓋体３に被着される有頂円筒状の外蓋（図示略）と、を備える。
ここで、カップ本体２、蓋体３及び上記外蓋は、それぞれの中心軸線が共通軸上に位置した状態で配設されている。以下、この共通軸を容器軸Ｏと称し、図１において容器軸Ｏに沿う蓋体３側を上方、その反対側を下方とする。また、容器軸Ｏに直交する方向を径方向とし、容器軸Ｏ回りに周回する方向を周方向とする。
【００１５】
カップ本体２の上端部には、径方向外方に向けてフランジ部１１が全周にわたって延設されている。フランジ部１１の上面には、カップ本体２の上端開口（開放端）を封止するシール部材１２が貼着されている。
シール部材１２は、例えばアルミ蒸着シートなどのバリア性シート材で構成されており、その下面には、熱溶着層が形成されている。シール部材１２は、カップ本体２内に飲料が充填された後にフランジ部１１の上面に熱溶着されており、カップ本体２内の飲料が外部に漏出しないように封止している。なお、シール部材１２としてバリア性シート材を使用した場合には、空気などがカップ本体２内に進入することを防止して飲料の変質を防止できる。
【００１６】
蓋体３は、カップ本体２の上記開放端にシール部材１２を貼着した状態で、カップ本体２の上部に被着されている。蓋体３は、円板状の頂壁部２１と、頂壁部２１の外周縁から下方に向けて延設された円筒状の装着筒部２２と、頂壁部２１の外周縁よりも径方向内側から上方に向けて延設された円筒状の側壁部２３と、シール部材１２を破断する切刃部材２４と、を備える。
【００１７】
頂壁部２１のうち蓋体３の径方向内方の中央部分は、周縁部分と比較して上方に向けて若干膨出している。このように、頂壁部２１の径方向内方の中央部分を上方に向けて突出させることで、頂壁部２１とシール部材１２との間に空間があらかじめ形成される。このため、カップ本体２内に高温の飲料などを充填したときに、カップ本体２の内圧によってシール部材１２が上方に膨れても、上方に膨れたシール部材１２によって頂壁部２１が変形されたり、シール部材１２が切刃部材２４に接触して破れたりすることを防止する。なお、頂壁部２１を平坦とし、頂壁部２１とシール部材１２との間に空間を形成しないように構成してもよい。
【００１８】
また、頂壁部２１には、切刃部材２４の後述する刃部３８及び副刃部３９を通過可能とするための開口部２５が形成されている。
開口部２５は、頂壁部２１を径方向のうちの一方向に延在する帯状をなしている。ここで、上記一方向のうちの一方側を前側、その反対側を後側とし、前後方向に対して径方向で直交する方向を左右方向とする。開口部２５は、切刃部材２４の後述する刃部３８を通過可能とするための幅狭部２６と、幅狭部２６の後方に形成され、左右方向の幅が幅狭部２６よりも広い幅広部２７と、を有する。
【００１９】
装着筒部２２の下端部の内周面には、径方向内方に向けて突出する係合突出部２８が全周にわたって形成されている。係合突出部２８の内径は、フランジ部１１の外径よりも小さくなっている。したがって、装着筒部２２をフランジ部１１に被せると、係合突出部２８がフランジ部１１の下面側に係合し、頂壁部２１の周縁部分または頂壁部２１の周縁部分の下面に下方に向けて突設されたシール突出部（図示略）がシール部材１２を介してフランジ部１１の上面に当接する。これにより、蓋体３は、カップ本体２に固定される。
【００２０】
側壁部２３は、容器軸Ｏと同軸となるように配設されており、上端が切刃部材２４よりも上方に突出し、切刃部材２４を径方向外側から囲んでいる。そして、側壁部２３は、蓋体３に上記外蓋を被着したときにこの外蓋により切刃部材２４が下方に押し込まれることを防止し、また、シール部材１２のうち切刃部材２４により切断して開口された部分から取り出されたり流出したりした内容物が蓋体３から流れ落ちることを防止する。
【００２１】
切刃部材２４は、頂壁部２１の前後方向で互いに間隔をあけて配設され、左右方向に延在する第１ヒンジ部３１、３２を介して頂壁部２１に各別に連結される一対の連結部３３、３４と、左右方向に延在する第２ヒンジ部３５、３６を介して一対の連結部３３、３４の上端部同士を互いに連結する架橋部３７と、連結部３３に前方に向けて突設された刃部３８と、連結部３４に前方に向けて突設された副刃部３９と、を有する。
【００２２】
連結部３３は、左右方向に互いに間隔をあけて配設された一対の板状の第１脚部４１、４２を有する。第１脚部４１、４２は、頂壁部２１のうち幅広部２７の前縁部に形成された第１ヒンジ部３１を介して頂壁部２１に回動可能に接続されており、頂壁部２１のうち幅広部２７の前縁部から上方に延在している。
連結部３４は、下方に向けて開口するＵ字板状をなしている（図２参照）。連結部３４の一対の第２脚部４３、４４は、頂壁部２１のうち幅広部２７の後縁部に形成された第１ヒンジ部３２を介して頂壁部２１に回動可能に接続されており、頂壁部２１のうち幅広部２７の後縁部から上方に延在している。なお、一対の第１脚部４１、４２及び第２脚部４３、４４は鉛直上方に限らず、斜め上方に延在してもよい。
【００２３】
架橋部３７は、前後方向に延在する板状をなしている。架橋部３７の前後両端部それぞれには、架橋部３７における前後方向の外側に向けて開口する切欠部３７Ａ、３７Ｂが各別に形成されている。
架橋部３７の前端部は、左右方向に延在する第２ヒンジ部３５を介して連結部３３の上端部に接続されており、架橋部３７の後端部は、同様に左右方向に延在する第２ヒンジ部３６を介して連結部３４の上端部に接続されている。また、架橋部３７における前後方向の中央部の上面には、左右方向に延在する滑り止め用の突起部または溝部が前後方向に間隔をあけて複数形成されている。
【００２４】
刃部３８は、平面視でＵ字状をなしており、第１脚部４１、４２に前方に向けて突設された一対の第１腕部５１、５２と、第１腕部５１、５２の前端部同士を接続する第１接続部５３と、を有する。
第１腕部５１、５２の前端部は、下方に向けて尖っており、第１接続部５３のうち左右方向の両端部は、下方に向けて尖っている。
【００２５】
副刃部３９は、第２脚部４３、４４に前方に向けて各別に突設された一対の第２腕部５４、５５と、第２腕部５４、５５の上端部同士を接続する第２接続部５６と、を有する。
第２腕部５４、５５のうち第２脚部４３、４４から離間する前端部は、下方に向けて尖っている。
【００２６】
次に、以上のような構成の蓋付カップ容器１の開封方法について説明する。
まず、外蓋（図示略）を取り外し、架橋部３７を下方に向けて押し下げる。架橋部３７を押下すると、連結部３３、３４は、図２に示すように、第１ヒンジ部３１、３２回りに回動しながら前方に倒れ込む。例えばこのとき、連結部３３、３４のうち少なくとも一方を前方に向けて若干傾斜するように斜め上方に延在させておくことで、この倒れ込み操作が容易となる。本実施形態においては、成形性と倒れ込み操作の容易性を同時に確保するため、例えば、後方側の連結部３４を前方に向けて斜め上方に延在させ、前方側の連結部３３を鉛直上方に延在させることが好ましい。ここで、架橋部３７が連結部３３、３４の上端部を互いに連結しており、第１ヒンジ部３１、３２及び第２ヒンジ部３５、３６それぞれの延在方向が互いに平行であるので、連結部３３、３４の頂壁部２１への倒れ込み方向が規制される。これにより、連結部３３、３４は、例えば第１ヒンジ部３１、３２及び第２ヒンジ部３５、３６を捩れさせることなく、下方に向けて第１ヒンジ部３１、３２回りに回動する。そして、連結部３３、３４の回動に伴って、架橋部３７は、前方に向けて移動する。
【００２７】
また、刃部３８は、一対の第１腕部５１、５２が連結部３３に接続されているので、連結部３３の回動に伴って、第１ヒンジ部３１回りに下方に向けて回動する。同様に、副刃部３９は、一対の第２腕部５４、５５が連結部３４に接続されているので、連結部３４の回動に伴って、第１ヒンジ部３２回りに下方に向けて回動する。そして、刃部３８及び副刃部３９は、開口部２５を通過し、シール部材１２を破断する。これにより、シール部材１２に２つの開口が形成される。ここで、刃部３８及び副刃部３９それぞれが連結部３３、３４に前方に向けて突設されているので、刃部３８及び副刃部３９それぞれの前端部が第１ヒンジ部３１、３２回りに下方に向けて倒れ込む。そのため、刃部３８及び副刃部３９それぞれの前端部が下方に深く入り、シール部材１２を確実に破断する。
【００２８】
以上のようにして、シール部材１２を開封する。刃部３８が切刃部材２４の前方に向けて突出しているので、刃部３８は、シール部材１２のうち側壁部２３に近接する部分に開口を形成する。このため、ユーザ（消費者）の口と飲口用の開口との距離が短くなる。また、刃部３８がＵ字状をなしているので、刃部３８の開口部分を通って飲料が流通する。さらに、刃部３８及び副刃部３９によってシール部材１２に２つの開口を形成するので、カップ本体２内の飲料などの量が減少することに伴う内圧の変化が抑制される。
また、架橋部３７に切欠部３７Ａが形成されているので、架橋部３７が刃部３８によりシール部材１２に形成された開口を上方から覆うことを防止し、この開口を通した飲料の流通が阻害されない。
【００２９】
以上のような構成の蓋付カップ容器１によれば、架橋部３７を押し下げたときに、一対の連結部３３、３４それぞれが第１ヒンジ部３１、３２回りに前方に向けて回動するので、切刃部材２４全体を前方に移動させながら刃部３８及び副刃部３９をシール部材１２に向けて移動させることができ、切刃部材２４の押下操作がより安定する。
また、刃部３８が切刃部材２４の前方に向けて突出しているので、刃部３８によりシール部材１２に形成された開口がユーザ（消費者）の口に近接する。この際、刃部３８が平面視でＵ字状をなしているので、刃部３８の開口部分を通って飲料を流通させることができる。そのため、カップ本体２内の飲料をより容易に取り出すことができる。
さらに、刃部３８及び副刃部３９によりシール部材１２に複数の開口を形成するので、開口を通した飲料の取り出しに伴ってカップ本体２内の内圧が変化することを抑制し、カップ本体２内の飲料をよりスムーズに取り出すことができる。
【００３０】
なお、本発明は上記実施形態に限定されるものではなく、本発明の趣旨を逸脱しない範囲において種々の変更を加えることができる。
例えば、刃部及び副刃部は、一対の連結部に連結されているが、架橋部を押し下げたときにシール部材を破断できれば、架橋部に連結されていてもよい。
切刃部材は、刃部及び副刃部を有しているが、少なくとも刃部のみを有していれば、副刃部を有しなくてもよく、２以上の副刃部を有していてもよい。
刃部は、平面視Ｕ字状をなしているが、他の形状であってもよい。
刃部の連結部または架橋部に対する突設方向は、架橋部を押し下げたときにシール部材を破断できれば、前方に限らず、後方や、左右方向、下方など他の方向であってもよい。なお、副刃部についても同様である。
蓋体には、円筒状の側壁部が設けられているが、側壁部が設けられていなくてもよく、例えば刃部によって開口される部分に対応する範囲を間欠にした円筒状としてもよい。
蓋付カップ容器は、直接飲料を飲む用途に限定されず、他の容器に移し替えて使用してもよく、また、内容物も飲料に限定されない。
蓋体には、傾倒状態を維持する係合手段を適宜設けてもよく、係合手段として、例えば前方側の連結部から前方に、または架橋部の前端部分から下方に係合片を突設し、傾倒状態でこの係合片を幅狭部の左右方向内縁部に係止する構成などを採用してもよい。
シール部材は、アルミ蒸着シートなどのバリア性シート材で構成されたものに限らず、カップ本体内の内容物に応じて適宜変更してもよい。
【産業上の利用可能性】
【００３１】
この発明によれば、切刃部材の押下操作をより安定させた蓋付カップ容器に関して、産業上の利用可能性が認められる。
【符号の説明】
【００３２】
１  蓋付カップ容器、２  カップ本体、３  蓋体、１２  シール部材、２１  頂壁部、２４  切刃部材、３１，３２  第１ヒンジ部、３３，３４  連結部、３５，３６  第２ヒンジ部、３７  架橋部、３８  刃部、３９  副刃部
【図１】
2014046936.tif 000003
【図２】
2014046936.tif 000004